(57)【要約】      （修正有）【課題】認証に費やす時間の増加を抑制することができる車載装置を提供する。【解決手段】車載装置１は、認証に用いる車両のユーザの生体情報４２を記憶する記憶部４と、予め定められた期間、認証されなかった生体情報４２を認証し難くする又は当該生体情報４２を記憶部４から消去する制御部６と、を備える。車載装置１は、認証されなかった生体情報を認証し難くする又は当該生体情報を記憶部から消去するので、認証に費やす時間の増加を抑制することができる。【選択図】図１
2019101785.tif 000002
【特許請求の範囲】
【請求項１】
認証に用いる車両のユーザの生体情報を記憶する記憶部と、
予め定められた期間、認証されなかった生体情報を認証し難くする、又は当該生体情報を前記記憶部から消去する制御部と、
を備えた車載装置。
【請求項２】
前記制御部は、予め定められた期間、認証されなかった生体情報を前記記憶部から消去する場合、前記記憶部に記憶された全ての生体情報が認証されてない際には、前記全ての生体情報と共に前記記憶部に記憶される全てのユーザの個人情報を消去する、
請求項１に記載の車載装置。
【請求項３】
前記制御部は、前記予め定められた期間、認証されなかった生体情報を認証し難くする場合、前記認証されなかった生体情報を認証する際のしきい値を上げる、
請求項１に記載の車載装置。
【請求項４】
前記制御部は、前記予め定められた期間、認証されなかった生体情報を認証し難くする場合、前記認証されなかった生体情報の優先順位を下げる、
請求項１に記載の車載装置。
【請求項５】
前記制御部は、認証し難くした後、さらに一定期間認証されなければ前記認証されなかった生体情報を前記記憶部から消去する、
請求項３又は４に記載の車載装置。
【発明の詳細な説明】
【技術分野】
【０００１】
本発明は、車載装置に関する。
【背景技術】
【０００２】
従来の技術として、携帯機から識別情報を受信することにより、携帯機の認証を行う携帯機認証手段と、運転者に固有の運転者識別情報を取得し、予め登録された運転者識別情報と比較して予め登録された登録運転者であるかの認証を行う運転者認証手段と、登録運転者が設定する情報である設定情報の入力を受け付ける情報入力手段と、運転者認証手段による認証か、又は登録運転者が入力した設定情報に基づく認証のいずれかを選択し、選択された認証による認証結果と携帯機認証手段の認証結果とに基づいて、車両の発車の制御を行う認証制御手段と、を備える車両盗難防止装置が知られている（例えば、特許文献１参照。）。
【０００３】
この車両盗難防止装置は、運転者の生体情報を運転者識別情報としている。
【先行技術文献】
【特許文献】
【０００４】
【特許文献１】特開２０１０−２０８５５４号公報
【発明の概要】
【発明が解決しようとする課題】
【０００５】
しかし従来の車両盗難防止装置は、例えば、認証されない不要な生体情報がある場合、この不要な生体情報に基づく認証が行われることで、認証に費やす時間が増加する可能性がある。
【０００６】
従って本発明の目的は、認証に費やす時間の増加を抑制することができる車載装置を提供することにある。
【課題を解決するための手段】
【０００７】
本発明の一態様は、認証に用いる車両のユーザの生体情報を記憶する記憶部と、予め定められた期間、認証されなかった生体情報を認証し難くする、又は当該生体情報を記憶部から消去する制御部と、を備えた車載装置を提供する。
【発明の効果】
【０００８】
本発明によれば、認証に費やす時間の増加を抑制することができる。
【図面の簡単な説明】
【０００９】
【図１】図１（ａ）は、実施の形態に係る車載装置のブロック図の一例であり、図１（ｂ）は、車載装置が記憶するテーブルの一例を示す概略図である。
【図２】図２は、実施の形態に係る車載装置のフローチャートである。
【図３】図３は、他の実施の形態に係る車載装置のフローチャートである。
【発明を実施するための形態】
【００１０】
（実施の形態の要約）
実施の形態に係る車載装置は、認証に用いる車両のユーザの生体情報を記憶する記憶部と、予め定められた期間、認証されなかった生体情報を認証し難くする、又は当該生体情報を記憶部から消去する制御部と、を備えて概略構成されている。
【００１１】
この車載装置は、認証されなかった生体情報を認証し難くする、又は当該生体情報を記憶部から消去するので、この構成を採用しない場合と比べて、認証されない生体情報を用いた認証の回数が減る、又は認証されない生体情報を用いた認証がなくなり、認証に費やす時間の増加を抑制することができる。
【００１２】
[実施の形態]
（車載装置１の概要）
図１（ａ）は、実施の形態に係る車載装置のブロック図の一例であり、図１（ｂ）は、車載装置が記憶するテーブルの一例を示す概略図である。なお図１（ａ）では、主な情報の流れを矢印で示している。
【００１３】
この車載装置１は、車両８に搭載され、車両８の所有者を含むユーザの個人情報４１を管理している。なお車両８は、例えば、図１（ｂ）に示すように、複数のユーザ（一例としてユーザＡ〜ユーザＣ）が使用しているものとする。またテーブル４０は、例えば、優先順位を付けてユーザの個人情報４１の管理をしているものとする。
【００１４】
車載装置１は、例えば、図１（ａ）及び図１（ｂ）に示すように、認証に用いる車両のユーザの生体情報４２を記憶する記憶部４と、予め定められた期間、認証されなかった生体情報４２を認証し難くする、又は当該生体情報４２を記憶部４から消去する制御部６と、備えて概略構成されている。
【００１５】
本実施の形態では、予め定められた期間、認証されなかった生体情報４２を記憶部４から消去する場合について説明する。
【００１６】
また制御部６は、予め定められた期間、認証されなかった生体情報４２を記憶部４から消去する場合、記憶部４に記憶された全ての生体情報４２が認証されてない際には、全ての生体情報４２と共に記憶部４に記憶される全てのユーザの個人情報４１を消去する。
【００１７】
なお制御部６は、全ての生体情報４２を消去する場合、全てのユーザの個人情報４１、つまりテーブル４０の初期化を行う。
【００１８】
本実施の形態の生体情報４２は、一例として、図１（ｂ）に示すように、生体認証のテンプレートとされる、指紋、顔画像、虹彩などであるが静脈などを含めても良く、またこれらに限定されない。また本実施の形態では、例えば、図１（ｂ）に示すように、ユーザ名と生体情報４２を含めて個人情報４１としている。この個人情報４１には、一例として、図１（ｂ）に示すように、氏名、生年月日、メールアドレス、暗証番号などが含まれている。
【００１９】
さらに車載装置１は、例えば、図１（ａ）に示すように、生体情報４２を読み取る生体情報読取部２を備えている。
【００２０】
（生体情報読取部２の構成）
生体情報読取部２は、例えば、ユーザの生体情報４２を読み取るものである。この生体情報読取部２は、一例として、車両の駆動装置のオン、オフを指示するためのスタートスイッチに搭載されている。なお生体情報読取部２は、一例として、スタートスイッチ以外の電子機器のため、顔画像や虹彩といった生体情報４２を用いた認証を行うように構成されても良い。
【００２１】
この場合、制御部６は、例えば、生体情報読取部２が読み取ったスタートスイッチを操作する操作指の指紋や静脈と、車載装置１の記憶部４に記憶された指紋や静脈の認証に用いるテンプレートである生体情報４２と、を比較して操作者が登録者であるか否かを判定する。
【００２２】
また生体情報読取部２は、生体情報４２を登録することができるように構成されている。そして生体情報読取部２は、一例として、図１（ｂ）に示すように、指紋、顔画像、虹彩、などのユーザの生体情報４２とユーザ名とを関連付けてテーブル４として記憶部４に記憶させる。なお登録可能な生体情報４２は、上記に限定されず、静脈、心拍数、血圧などでも良い。
【００２３】
この指紋の登録は、例えば、光学式、静電容量式、電界強度測定式、感圧式及び感熱式などの指紋パターンを読み取るように構成されたセンサを用いて行われる。
【００２４】
操作指や手の平の静脈の登録は、例えば、照射した近赤外線の反射に基づいて静脈パターンを読み取るように構成されたセンサを用いて行われる。
【００２５】
顔画像の登録は、例えば、撮像された対象に複数の計測点を設け、この計測点の深度に基づいて対象の凹凸形状を読み取るように構成されたセンサを用いて行われる。
【００２６】
虹彩の登録は、例えば、赤外線を照射して撮像した画像を画像処理して虹彩を読み取るように構成されたセンサを用いて行われる。
【００２７】
生体情報読取部２は、例えば、読み取った生体情報４２の情報である読取情報Ｓ１を生成して出力する。
【００２８】
（記憶部４の構成）
記憶部４は、例えば、ＨＤＤ（Hard Disk Drive）、半導体メモリなどによって構成される。本実施の形態の記憶部４は、半導体メモリである。この半導体メモリは、制御部６に搭載されたＲＡＭであっても良い。
【００２９】
記憶部４は、例えば、図１（ａ）及び図１（ｂ）に示すように、生体情報読取部２から取得した読取情報Ｓ１に基づいてテーブル４０を生成するように構成されている。
【００３０】
テーブル４０は、例えば、図１（ｂ）に示すように、ユーザごとに指紋などの個人情報４１を関連付けて格納されている。図１（ｂ）では、一例として、車両を共有するユーザＡ〜ユーザＣの個人情報４１を示している。
【００３１】
またテーブル４０は、例えば、優先順位に基づいてユーザが並び、さらに複数登録可能な生体情報４２についても優先順位に基づいて並んでいる。例えば、ユーザは、ユーザＢ、ユーザＡ、ユーザＣの順に優先順位が付いている。この優先順位は、例えば、車両に乗車する回数が多い順である。さらにユーザＢが登録した指紋は、例えば、指紋２、指紋１の順で優先順位が付いている。この優先順位は、例えば、認証された回数が多い順となっている。
【００３２】
（制御部６の構成）
制御部６は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部６が動作するためのプログラムと、認証しきい値６０と、履歴情報６１と、が格納されている。ＲＡＭは、例えば、一時的に演算結果などを格納する記憶領域として用いられる。また制御部６は、その内部にクロック信号を生成する手段を有し、このクロック信号に基づいて動作を行う。
【００３３】
認証しきい値６０は、例えば、指紋の認証の場合、指紋の特徴点の数である。制御部６は、例えば、認証しきい値６０が「７０」であれば、指紋のテンプレートの特徴点（１００個）のうち、７０個以上の特徴点が一致していれば登録者であると判定する。
【００３４】
制御部６は、認証が成立した場合、認証が成立したことを示す認証情報Ｓ２を接続された電子機器に出力する。
【００３５】
履歴情報６１は、例えば、認証に用いられた生体情報４２を時系列順に並べると共に使用された回数の情報を生体情報４２ごとに付して生成される。制御部６は、認証を行うごとに履歴情報６１を更新する。そして制御部６は、この履歴情報６１に基づいて予め定められた期間、認証されなかった生体情報４２を選択することができる。この予め定められた期間は、一例として、一年程度である。
【００３６】
ここで、例えば、車両の所有者が代わった場合は、前の所有者の個人情報４１が残っていると、悪用されたり、生体情報４２の認証の候補として残って認証に時間が掛かったりする可能性がある。この場合は、所有者が代わっているので、例えば、図１（ｂ）に示すユーザＡ〜ユーザＣの生体情報４２は、認証されない。従って制御部６は、ユーザＡ〜ユーザＣの全ての生体情報４２が予め定められた期間、認証されなかった場合、ユーザＡ〜ユーザＣの個人情報４１を全て消去する。
【００３７】
制御部６は、例えば、個人情報４１の消去の方法としてテーブル４０を初期化する。この初期化によって制御部６は、例えば、図１（ｂ）に示すユーザＡ〜ユーザＣが登録した個人情報４１を全て消去する。
【００３８】
また例えば、ユーザが登録した生体情報４２が適切でなく、予め定められた期間、認証されない場合、この適切ではない生体情報４２のみが消去される。例えば、図１（ｂ）に示すユーザＡの指紋２が、指が傷ついていたり、読み取りが不正確だったりしたものであり、予め定められた期間、認証されない場合、制御部６は、この指紋２を消去する。この消去によって生体情報４２の認証に費やす時間が抑制される。
【００３９】
以下では、本実施の形態に係る車載装置１の動作の一例について図２のフローチャートに従って説明する。
【００４０】
（動作）
車載装置１の制御部６は、履歴情報６１を確認する（Ｓｔｅｐ１）。具体的には、制御部６は、例えば、予め設定されたタイミングで生体情報４２の使用状況を確認する。
【００４１】
そして制御部６は、予め定められた期間、認証されなかった生体情報４２があるか確認する。制御部６は、認証されなかった生体情報４２がある場合（Ｓｔｅｐ２：Ｙｅｓ）、認証されなかった生体情報４２を消去し（Ｓｔｅｐ３）、処理を終了する。
【００４２】
制御部６は、例えば、テーブル４０の全ての生体情報４２が認証されていない場合、全ての個人情報４１を消去するため、テーブル４０を初期化する。また制御部６は、例えば、複数ある生体情報４２の中で、ある生体情報４２が認証されていない場合、当該生体情報４２のみをテーブル４０から消去する。
【００４３】
ここでステップ２において制御部６は、予め定められた期間、認証されなかった生体情報４２がなかった場合（Ｓｔｅｐ２：Ｎｏ）、処理を終了する。
【００４４】
（実施の形態の効果）
本実施の形態に係る車載装置１は、認証に費やす時間の増加を抑制することができる。具体的には、車載装置１は、認証されなかった生体情報４２をテーブル４０から消去するので、この構成を採用しない場合と比べて、認証されない生体情報４２を用いた認証がなくなり、認証に費やす時間の増加を抑制することができる。
【００４５】
車載装置１は、車両の所有者が代わって前の所有者の生体情報４２が残った場合であっても、認証されなかった全ての生体情報４２をテーブル４０から消去するので、この構成を採用しない場合と比べて、前の所有者の生体情報４２が残ることがなく、生体情報４２の悪用を抑制することができる。また車載装置１は、テーブル４０を初期化して生体情報４２を含む消し忘れた個人情報４１を消去することができるので、ユーザのプライバシーが保護される。
【００４６】
ここで他の実施の形態として制御部６は、予め定められた期間、認証されなかった生体情報４２を認証し難くする場合、認証されなかった生体情報４２を認証する際のしきい値（認証しきい値６０）を上げるように構成される。
【００４７】
具体的には、制御部６は、認証し難くする場合、一例として、予め定められた期間、認証されなかった生体情報４２の認証しきい値６０を「７０」から「８０」や「９５」、「１００」などとする。
【００４８】
以下に、他の実施の形態の車載装置１の動作の一例について図３のフローチャートに従って説明する。
【００４９】
（動作）
車載装置１の制御部６は、履歴情報６１を確認する（Ｓｔｅｐ１０）。そして制御部６は、予め定められた期間、認証されなかった生体情報４２がある場合（Ｓｔｅｐ１１：Ｙｅｓ）、認証されなかった生体情報４２を認証し難くし（Ｓｔｅｐ１２）、処理を終了する。
【００５０】
ここでステップ１１において制御部６は、予め定められた期間、認証されなかった生体情報４２がなかった場合（Ｓｔｅｐ１１：Ｎｏ）、処理を終了する。
【００５１】
（他の実施の形態の効果）
他の実施の形態の車載装置１は、認証されなかった生体情報４２を認証し難くするので、この構成を採用しない場合と比べて、認証されない生体情報４２を用いた認証の回数が減り、認証に費やす時間の増加を抑制することができる。
【００５２】
また変形例として制御部６は、予め定められた期間、認証されなかった生体情報４２を認証し難くする場合、認証されなかった生体情報の優先順位を下げるように構成される。
【００５３】
具体的には、制御部６は、例えば、予め定められた期間、認証されなかった指紋を最も低い優先順位とし、当該指紋を用いて認証がなされる前に認証が成立し易いようにする。
【００５４】
さらに変形例として制御部６は、認証し難くした後、さらに一定期間認証されなければ認証されなかった生体情報４２を記憶部４から消去するように構成される。この一定期間は、一例として、一年程度である。
【００５５】
なお生体情報４２の消去は、記憶部４から読み出さない処理を含むものとする。この場合、ユーザが選択して再度認証のテンプレートとして使用するようにしても良い。
【００５６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００５７】
１…車載装置、２…生体情報読取部、４…記憶部、６…制御部、８…車両、４０…テーブル、４１…個人情報、４２…生体情報、６０…認証しきい値、６１…履歴情報
【図１】
2019101785.tif 000003
【図２】
2019101785.tif 000004
【図３】
2019101785.tif 000005